(57)【要約】【課題】蓋ヒンジロック機構のヒンジケースを小型化することが可能で、ヒンジケースに設けた操作ボタンやその摺動穴が外観上目立ち難い液体貯留ポットを提供する。【解決手段】肩部材２に蓋体３のヒンジピン３２を嵌めるヒンジ受け溝１２の開放部１４を開閉するロック部材４０とその操作ボタン５０とを、胴部材１の外周面に沿った湾曲面部２１を設けたヒンジケース２０に収納し、湾曲面部２１より内方に凹入する凹部２２ａを設け、この凹部側面に操作ボタン５０を挿通する摺動穴２４を形成し、この摺動穴２４の内方側穴縁２４ａと湾曲面部２１とを連続させる凹部形成面２５を設け、湾曲面部２１と胴部材１の外周面とが同一面を構成するようにヒンジケース２０を切欠き凹部１０に嵌合した液体貯留ポットにおいて、凹部形成面２５を内方へ湾曲させ、この面２５と湾曲面部２１との連続部２６を内方側穴縁２４ａよりも側面視で外方に位置させた。【選択図】図８
2006102132.tif 000002
【特許請求の範囲】
【請求項１】
ポット本体の肩部材に蓋体のヒンジピンを嵌めるヒンジ受け溝を設け、このヒンジ受け溝の開放部を開閉するロック部材を有し、前記ポット本体の胴部材の外周面に沿った湾曲面部を設けたヒンジケースに前記ロック部材とその操作ボタンとを収納し、前記ヒンジケースにその湾曲面部より内方に凹入する凹部を設け、この凹部側面に前記操作ボタンを挿通する摺動穴を形成し、この摺動穴の内方側穴縁と前記湾曲面部とを連続させる凹部形成面を設け、前記湾曲面部と前記胴部材の外周面とが同一面を構成するように前記ヒンジケースを前記胴部材に嵌合した液体貯留ポットにおいて、前記凹部形成面を内方へ湾曲させ、この凹部形成面と前記湾曲面部との連続部を、側面視で前記摺動穴の内方側穴縁よりも外方に位置させたことを特徴とする液体貯留ポット。
【請求項２】
前記ロック部材と前記操作ボタンとを収納する上面開放の収納部を前記湾曲面部の内方に設け、この収納部に前記操作ボタンを上方から挿入するようにしたことを特徴とする請求項１に記載の液体貯留ポット。
【請求項３】
前記操作ボタンが前記摺動穴の穴面に対し突出する抜止め部を有し、前記収納部に前記抜止め部と係合する係止部を設けたことを特徴とする請求項２に記載の液体貯留ポット。
【請求項４】
前記ヒンジケースを前記肩部材と前記胴部材とで上下に挟み、前記操作ボタンの摺動をガイドする位置決め部を前記肩部材に設けたことを特徴とする請求項１から３のいずれかに記載の液体貯留ポット。
【請求項５】
前記ヒンジケースおよび前記肩部材のうちいずれか一方に突設した嵌合部を、他方に設けたこの嵌合部の受け口に嵌合し、前記ヒンジケースを前記肩部材と前記胴部材とにより挟持させたことを特徴とする請求項１から４のいずれかに記載の液体貯留ポット。
【請求項６】
ポット本体の肩部材に蓋体のヒンジピンを嵌めるヒンジ受け溝を設け、このヒンジ受け溝の開放部を開閉するロック部材を有し、前記ポット本体の胴部材の外周面に沿った湾曲面部を設けたヒンジケースに前記ロック部材とその操作ボタンとを収納し、前記ヒンジケースに湾曲面部より内方に凹入する凹部を設け、この凹部側面に前記操作ボタンを挿通する摺動穴を形成し、この摺動穴の内方側穴縁と前記湾曲面部とを連続させる凹部形成面を設け、前記湾曲面部と前記胴部材の外周面とが同一面を構成するように前記ヒンジケースを前記胴部材に嵌合した液体貯留ポットにおいて、前記操作ボタンが前記摺動穴の穴面に対し突出する抜止め部を有し、前記ロック部材と前記操作ボタンとを収納する上面開放の収納部を前記湾曲面部の内方に設け、この収納部に前記抜止め部と係合する係止部を設け、前記操作ボタンを上方から前記収納部に挿入するようとしたことを特徴とする液体貯留ポット。
【発明の詳細な説明】
【技術分野】
【０００１】
この発明は、電気ポットや保温ポットなどの液体貯留ポットに関し、特に、蓋体の蓋ヒンジロック機構に関する。
【背景技術】
【０００２】
電気ポット等の液体貯留ポットでは、蓋体に設けたヒンジピンをポット本体に設けたヒンジ受け溝に係合することにより、蓋体を開閉可能かつ着脱可能に取付ける構造が採られる。従来から、蓋体の開閉作用時にヒンジピンがヒンジ受け溝から外れることを防止するため、ヒンジ受け溝の開放部にロック部材を進出させヒンジピンをロックし、必要に応じてそのロック部材を後退させロックを解除するようにした蓋ヒンジロック機構が採用されている（特許文献１）。
【０００３】
特許文献１に開示された蓋ヒンジロック機構は、ポット本体の胴部材の外周面に突設したケース内にロック部材を収納し、そのケース上面からそのロック部材を前記ヒンジ受け溝の前面に出没させ、前記ケースの側面から挿入した操作ボタンを前記ロック部材に係合させ、使用者がその操作ボタンを押し込むとロック部材が下降されてロック解除となり、内部の付勢ばねの作用により操作ボタンが元の位置に戻るとロック部材がＳ字形ばねの作用により上昇され元のロック状態となるように構成されている。
【０００４】
【特許文献１】特開平１０−１４７８４号公報
【０００５】
しかしながら、特許文献１に開示のものは、ロック部材や操作ボタンを収納するケースが、胴部材の外周面から外側に突き出すように形成されている（特許文献１の図１、図２参照）。このため、万一液体貯留ポットが後方に転倒したとき、転倒時の衝撃荷重がそれらの突き出した部分に集中して作用するため、蓋ヒンジロック機構のところが破損し易いといった問題がある。
【０００６】
そこで、出願人は、ポット本体の肩部材に蓋体のヒンジピンを嵌めるヒンジ受け溝を設け、このヒンジ受け溝の開放部を開閉するロック部材を有し、前記ポット本体の胴部材の外周面に沿った湾曲面部を設けたヒンジケースに前記ロック部材とその操作ボタンとを収納し、前記ヒンジケースに湾曲面部より内方に凹入する凹部を設け、この凹部側面に前記操作ボタンを挿通する摺動穴を形成し、この摺動穴の内方側穴縁と前記湾曲面部とを連続させる凹部形成面を前記ヒンジピンと平行な平面とし、前記湾曲面部と前記胴部材の外周面とが同一面を構成するように前記ヒンジケースを前記胴部材に嵌合した液体貯留ポット（以下、先行液体貯留ポットという）を提案している（特願２００３−１５６９５１）。
【０００７】
この先行液体貯留ポットによれば、前記胴部材の外周面から後方に突き出した部分が存在しないため、デザイン上すっきりした外観を得られ、後方への転倒時においては、衝撃荷重はポット本体全体に分散されるので、ヒンジロック機構も破損し難くなる。
【発明の開示】
【発明が解決しようとする課題】
【０００８】
しかしながら、この先行液体貯留ポットでは、前記摺動穴の内方側穴縁と、前記凹部外端縁とを連続させる凹部形成面が前記ヒンジピンと平行な平面によって形成されているので、前記湾曲面部の周方向長さが前記摺動穴の内外方向幅に応じて必然的に決定されてしまう（特願２００３−１５６９５１の図５参照）。このため、前記ヒンジケースの小型化に限界があり、改良の余地があった。また、この先行液体貯留ポットでは、前記凹部形成面が平行な平面によって形成されているので、側面視において、前記操作ボタンや前記摺動穴が目立ち易く、見映えの点でも改良の余地があった。
【０００９】
そこで、この発明の課題は、蓋ヒンジロック機構のヒンジケースを小型化することが可能で、ヒンジケースに設けた操作ボタンやその摺動穴が外観上目立ち難い液体貯留ポットを提供することにある。
【課題を解決するための手段】
【００１０】
上記課題を解決するため、この発明では、ポット本体の肩部材に蓋体のヒンジピンを嵌めるヒンジ受け溝を設け、このヒンジ受け溝の開放部を開閉するロック部材を有し、前記ポット本体の胴部材の外周面に沿った湾曲面部を設けたヒンジケースに前記ロック部材とその操作ボタンとを収納し、前記ヒンジケースにその湾曲面部より内方に凹入する凹部を設け、この凹部側面に前記操作ボタンを挿通する摺動穴を形成し、この摺動穴の内方側穴縁と前記湾曲面部とを連続させる凹部形成面を設け、前記湾曲面部と前記胴部材の外周面とが同一面を構成するように前記ヒンジケースを前記胴部材に嵌合した液体貯留ポットにおいて、前記凹部形成面を内方へ湾曲させ、この凹部形成面と前記湾曲面部との連続部を、側面視で前記摺動穴の内方側穴縁よりも外方に位置させた構成を採用した。
【００１１】
上記構成によれば、前記凹部形成面を内方へ湾曲させ、この凹部形成面と前記湾曲面部との連続部を、側面視で前記摺動穴の内方側穴縁よりも外方に位置させたので、前記凹部外端縁が周方向において前記湾曲面部の中心側に寄せられる。このため、先行液体貯留ポットの場合と比して、前記湾曲面部の周方向長さを短くすることが可能になり、前記ヒンジケースの小型化を図ることができる。また、側面視において、前記連続部が側面視で前記摺動穴の内方側穴縁よりも外方に位置するため、前記摺動穴や前記操作ボタンが、前記連続部によって遮蔽される。
【００１２】
上記構成においては、前記凹部形成面を内方に湾曲させたので、先行液体貯留ポットの場合のように、前記操作ボタンを前記摺動穴の外側から摺動方向に挿通して装着することが行い難い。また、この挿通時に、前記凹部形成面が傷つき易い。そこで、前記ロック部材と前記操作ボタンとを収納する上面開放の収納部を前記湾曲面部の内方に設け、この収納部に前記操作ボタンを上方から挿入するようにした構成を採用すれば、前記操作ボタンの装着が容易になり、前記凹部形成面が傷つくことも防止される。
【００１３】
ここで、前記操作ボタンが前記摺動穴の穴面に対し突出する抜止め部を有し、前記収納部に前記抜止め部と係合する係止部を設けた構成を採用することが好ましい。先行液体貯留ポットでは、前記操作ボタンを前記摺動穴の外側から摺動方向に挿通して装着する構造なので、抜止め部を前記摺動穴の穴面に対し突出しないように設ける必要があり、前記抜止め部と前記収納部の係止部との係り具合が浅くなる。この構成によれば、前記操作ボタンに前記摺動穴の穴面に対し突出する抜止め部を設け、前記収納部に前記抜止め部と係合する係止部を設けたので、前記抜止め部と係止部との係り具合を前記摺動穴の穴面に制限されることなく深くすることが可能になり、前記操作ボタンの抜け落ちを確実に防止することができる。
【００１４】
また、上記構成において、前記ヒンジケースを前記肩部材と前記胴部材とで上下に挟み、前記操作ボタンの摺動をガイドする位置決め部を前記肩部材に設けた構成を採用すれば、前記ヒンジケースの構造を簡略化することが可能になる。
【００１５】
また、上記構成において、前記ヒンジケースおよび前記肩部材のうちいずれか一方に突設した嵌合部を、他方に設けたこの嵌合部の受け口に嵌合し、前記ヒンジケースを前記肩部材と前記胴部材とにより挟持させた構成を採用すれば、前記ヒンジケースをネジ止めする必要がなくなるので、組立てが容易になり、部材数の削減による低コスト化を達成できる。
【００１６】
また、ポット本体の肩部材に蓋体のヒンジピンを嵌めるヒンジ受け溝を設け、このヒンジ受け溝の開放部を開閉するロック部材を有し、前記ポット本体の胴部材の外周面に沿った湾曲面部を設けたヒンジケースに前記ロック部材とその操作ボタンとを収納し、前記ヒンジケースにその湾曲面部より内方に凹入する凹部を設け、この凹部側面に前記操作ボタンを挿通する摺動穴を形成し、この摺動穴の内方側穴縁と前記湾曲面部とを連続させる凹部形成面を設け、前記湾曲面部と前記胴部材の外周面とが同一面を構成するように前記ヒンジケースを前記胴部材に嵌合した液体貯留ポットにおいて、前記操作ボタンが前記摺動穴の穴面に対し突出する抜止め部を有し、前記ロック部材と前記操作ボタンとを収納する上面開放の収納部を前記湾曲面部の内方に設け、この収納部に前記抜止め部と係合する係止部を設け、前記操作ボタンを上方から前記収納部に挿入するようとした構成によれば、この発明のように前記凹部形成面を内方へ湾曲させることが容易に実現でき、先行液体貯留ポットのように凹部形成面を前記ヒンジピンと平行な平面とした場合でも、上記と同様、前記操作ボタンの装着の容易化と抜け落ち防止、および前記凹部形成面の傷つき防止を図ることができる。
【発明の効果】
【００１７】
上述のように、この発明によれば、蓋ヒンジロック機構のヒンジケースを小型化することが可能で、ヒンジケースに設けた操作ボタンやその摺動穴が外観上目立ち難い液体貯留ポットを提供することができる。
【発明を実施するための最良の形態】
【００１８】
以下、この発明を実施するための最良の形態に係る液体貯留ポットを添付図面（図１〜図１１）に基づいて説明する。図１〜図３に示した液体貯留ポットは、胴部材１およびその上部に嵌合される肩部材２とをポット本体に有する。
【００１９】
肩部材２は、蓋体３を開閉自在かつ着脱可能に取付ける肩部材本体４と、胴部材１の上端外周に嵌合する肩リング部材５とからなり、両部材は、上下に嵌合し、上下方向にネジ６で周方向に複数箇所でネジ止めすることにより結合一体化されている。
【００２０】
蓋体３は、一対のヒンジ支持腕３１、３１を有する。また、胴部材１の上端縁に設けた切欠き凹部１０には、ヒンジケース２０が嵌合され、このヒンジケース２０は、胴部材１と肩部材２との間で挟持される。
【００２１】
図４、図５に示すように、肩部材本体４には、一対のヒンジ支持腕３１、３１を受け入れる一対の凹入部１１、１１が設けられ、その両方の凹入部１１、１１間に内向きに開放されたヒンジ受け溝１２が設けられている。ヒンジ受け溝１２の内方側に肩部材本体４の下方に通じた開口１３が設けられている。
【００２２】
図６（ａ）、（ｂ）に示すように、この開口１３には、後述のロック部材４０が下方から挿入され、ロック部材４０は、開口１３より上昇してヒンジ受け溝１２の開放部１４を閉鎖し（ロック状態）、開口１３内に下降して開放部１４を開放する（ロック解除状態）。また、図７（ａ）、（ｂ）に示すように、開口１３の内方には、ヒンジピン３２の着脱時のガイド片１５が設けられている。ヒンジピン３２は、一対のヒンジ支持腕３１、３１間に固定され、ロック解除状態でヒンジ受け溝１２に嵌められる。そして、ロック状態になると、ヒンジピン３２はヒンジ受け溝１２から抜け出ることができなくなる。
【００２３】
図５、図８に示すように、ヒンジケース２０は、胴部材１の切欠き凹部１０に嵌合されるものであり、胴部材１の外周面に沿った湾曲面部２１が設けられ、湾曲面部２１より内方に凹入する凹部２２ａ，２２ｂが周方向両側にヒンジケース２０に対し中心対称で設けられている。湾曲面部２１は、切欠き凹部１０に嵌合された状態で胴部材１の外周面と同一面を構成するように設けられている。勿論、湾曲面部２１が完全な同一面を構成する必要はなく、成形精度の都合上、湾曲面部２１の端面が胴部材１の外周面から突出することは許される。湾曲面部２１の内面には、周方向両側に挟持片２３、２３が設けられており、この挟持片２３、２３が切欠き凹部１０を縁取るリブ１６を内外から挟着し、ヒンジケース２０の前後方向への移動を規制する。
【００２４】
凹部２２ａのケース中心側の側面には、ロック部材４０を操作するための操作ボタン５０を挿通する摺動穴２４が形成されている。この摺動穴２４の内方側穴縁２４ａと湾曲面部２１は、凹部形成面２５で連続している。この凹部形成面２５は内方に湾曲し、内方側穴縁２４ａと湾曲面部２１との連続部２６は内方側穴縁２４ａよりも外方に位置している。勿論、連続部２６の位置は、側面視において、湾曲面部２１の側端部２１ａとの位置関係で摺動穴２４が隠れるように設定することが好ましい。また、凹部形成面２５は、凹部２２ａが少なくとも指先が入る程度に凹入するように湾曲させる。
【００２５】
一方、凹部２２ｂのケース中心側の側面には、内外方向に仕切り壁２７が設けられており、凹部２２ａと同様にして、仕切り壁２７の内端縁２７ａは、凹部形成面２５を介して湾曲面部２１と連続している。また、摺動穴２４の内方側穴縁２４ａと仕切り壁２７の内端縁２７ａは、ヒンジピン３２と平行方向に設けた内壁２８で連結されている。
【００２６】
湾曲面部２１と、仕切り壁２７と、内方側穴縁２４ａと、内壁２８と、これらの下端に水平に連設した底板部２９とに囲まれた上面開放の空間は、ロック部材４０と操作ボタン５０とを収納する収納部となっている。
【００２７】
図９（ａ）〜（ｃ）に示すように、ロック部材４０は、基板４１上に立てた両側２条のＳ形ばね部４２，４２の上端に板状のロック部４３を設け、そのロック部４３の外側面に傾斜カム面４４が形成されている。Ｓ形ばね部４２，４２間には、その圧縮量を規制する突起４５がロック部４３との間に間隔をおいて設けられている。また、基板４１上の摺動穴２４側には、湾曲したばね片４６が設けられ、基板４１上の仕切り壁２７側には、操作ボタン５０を下方向に規制するガイド部４７が設けられている。
【００２８】
一方、図１０（ａ）〜（ｃ）に示すように、操作ボタン５０は、摺動穴２４に合致する操作頭部５１より一方側に水平方向に延びる脚片５２が設けられ、その脚片５２の内側面には、ロック部材４０の傾斜カム面４４と合致する反対勾配の傾斜カム面５３が設けられている。
【００２９】
また、操作ボタン５０は、脚片５２の内側面から内方に摺動穴２４の穴面に対し突出する抜止め部５４が設けられている。抜止め部５４は、操作頭部５１と脚片５２との連続部分にあり、ロック状態において、内方側穴縁２４ａ（係止部）と係合し（図８参照）、ばね片４６に臨み、ロック解除状態において、ばね片４６と係合する（図７（ａ）参照）。操作ボタン５０は、ばね片４６により、戻り方向、即ち摺動穴２４から収納部外へ退出する方向に付勢される。
【００３０】
操作ボタン５０は、ロック部材４０の基板４１を底板部２９に着座させ、ばね片４６を押し倒した状態で、上方より収納部に挿入され、ばね片４６の付勢力により抜止め部５４と内方側穴縁２４ａとが係合され、操作頭部５１が摺動穴２４に挿通され、ロック部材４０と操作ボタン５０が収納部に装着された状態となる。なお、基板４１は、底板部２９に設けた係止爪６０と、内壁２８に上下方向に設けた２条の突条部６１，６１とにより位置決めされる（図６（ｂ）、図８参照）。
【００３１】
ロック部材４０と操作ボタン５０をヒンジケース２０の収納部に装着した状態で、肩リング部材５の下端縁より下方に突設された平行一対の嵌合リブ６２，６２が、ヒンジケース２０の内壁２８に連設した受け口６３に嵌合される（図６（ｂ）、図１１参照）。そして、胴部材１の上端縁の周リブ１ａと肩部材２の肩リング部材５とを上下に嵌合すると、ヒンジケース２０は、切欠き凹部１０に嵌合状態となり、胴部材１と肩部材２とで挟持される。
【００３２】
上記構成によれば、図７（ａ）、（ｂ）に示したように、指先で操作ボタン５０と仕切り壁２７とを挟むようにして操作頭部５１が摺動穴２４内に押し込まれ、脚片５２の先端が仕切り壁２７の内面に当たる状態で、抜止め部５４がばね片４６を押し倒し、ロック部材の傾斜カム面４４が操作ボタンの傾斜カム面５３と係合してＳ形ばね部４２，４２を下方に圧縮させ、これに伴いロック部４３が開口１３内に没入し、ロック解除状態となる。
【００３３】
また、図６（ａ）、（ｂ）に示したように、操作頭部５１から指先が離れると、操作ボタン５０は、抜止め部５４を介してばね片４６により、抜止め部５４が内方側穴縁２４ａと係合するまで戻り方向に押し戻されて停止し、傾斜カム面４４と傾斜カム面５３の係合が解除状態となってＳ形ばね部４２，４２が上方に伸び、これに伴いロック部４３が開口１３より上昇し、ロック状態となる。このようにして、操作ボタン５０は、抜止め部５４により一定ストロークで摺動し、ロック部材４０を上下動させる。
【００３４】
上記の摺動時に、操作ボタン５０は、肩部材本体４のヒンジ受け溝１２の下方に設けた内外方向のガイドリブ６４の外端面６４ａと脚片５２との当接により内方向動が規制され、湾曲面部２１の内面側に設けた上下方向の平行リブ６５，６５と脚片５２との当接により外方向動が規制される。また、操作ボタン５０は、ガイドリブ６４の外端面６４ａの上端に連設された横断面矩形状の位置決め部６６ａおよびこれと対に開口１３を挟む位置決め部６６ｂと脚片５２との当接により上方向動が規制され、基板４１に設けたガイド部４７と脚片５２との当接により下方向動が規制される。これにより、操作ボタン５０は、摺動時に振れることなく摺動方向にガイドされる。
【図面の簡単な説明】
【００３５】
【図１】実施形態に係る液体貯留ポットの全体斜視図。
【図２】同上のヒンジケース部分の拡大斜視図。
【図３】同上の肩部材の分解斜視図。
【図４】同上の蓋ヒンジロック機構を内方側から示す部分拡大分解斜視図。
【図５】同上の蓋ヒンジロック機構を外方側から示す部分拡大分解斜視図。
【図６】（ａ）同上の蓋ヒンジロック機構のロック状態を示す部分拡大縦断背面図。（ｂ）同上の蓋ヒンジロック機構のロック状態を示す部分拡大縦断側面図。
【図７】（ａ）同上の蓋ヒンジロック機構のロック解除状態を示す部分拡大縦断正面図。（ｂ）同上の蓋ヒンジロック機構のロック解除状態を示す部分拡大縦断側面図。
【図８】同上の蓋ヒンジロック機構のロック状態を示す部分拡大横断面図。
【図９】（ａ）同上の蓋ヒンジロック機構のロック部材の全体斜視図。（ｂ）同上の蓋ヒンジロック機構のロック部材の正面図。（ｃ）同上の蓋ヒンジロック機構のロック部材の上面図。
【図１０】（ａ）同上の蓋ヒンジロック機構の操作ボタンの全体斜視図。（ｂ）同上の蓋ヒンジロック機構の操作ボタンの正面図。（ｃ）同上の蓋ヒンジロック機構の操作ボタンの上面図。
【図１１】同上の肩部材の部分拡大斜視図。
【符号の説明】
【００３６】
１  胴部材
１ａ  周リブ
２  肩部材
３  蓋体
４  肩部材本体
５  肩リング部材
６  ネジ
１０  切欠き凹部
１１  凹入部
１２  ヒンジ受け溝
１３  開口
１４  開放部
１５  ガイド片
１６  リブ
２０  ヒンジケース
２１  湾曲面部
２１ａ  側端部
２２ａ，２２ｂ  凹部
２３  挟持片
２４  摺動穴
２４ａ  内方側穴縁
２５  凹部形成面
２６  連続部
２７  仕切り壁
２７ａ  内端縁
２８  内壁
２９  底板部
３１  ヒンジ支持腕
３２  ヒンジピン
４０  ロック部材
４１  基板
４２  Ｓ形ばね部
４３  ロック部
４４  傾斜カム面
４５  突起
４６  ばね片
４７  ガイド部
５０  操作ボタン
５１  操作頭部
５２  脚片
５３  傾斜カム面
５４  抜止め部
６０  係止爪
６１  突条部
６２  嵌合リブ
６３  受け口
６４  ガイドリブ
６４ａ  外端面
６５  平行リブ
６６ａ、６６ｂ  位置決め部
【図１】
2006102132.tif 000003
【図２】
2006102132.tif 000004
【図３】
2006102132.tif 000005
【図４】
2006102132.tif 000006
【図５】
2006102132.tif 000007
【図６】
2006102132.tif 000008
【図７】
2006102132.tif 000009
【図８】
2006102132.tif 000010
【図９】
2006102132.tif 000011
【図１０】
2006102132.tif 000012
【図１１】
2006102132.tif 000013